(57)【特許請求の範囲】
【請求項１】
少なくとも片面に平らな平板部を有する２枚の板の平板部で箸の上部の近傍を挟む２枚の板と、該板の箸先側の端部近傍において２本の箸の内側で当たり所要幅を保ち箸が当る部分を支点にして回動する支点ストッパーを該板に一体または別体に形成した支点ストッパーと、該２枚の板を介して該箸の上部を挟む弾性体と、該箸の上部を挟んで支点ストッパーに押し当てる弾性体で構成したことを特徴とする箸ホルダー。
【請求項２】
箸の上部近傍を上板と下板からなる両面または片面が平らな平板部を有する２枚の板の平板部で挟み、下板において平板部の長手方向の箸先側の片方の端部近傍で該箸の上部の近傍が２本の箸の内側で当たり所要幅を保つための支点ストッパーを形成または固着し、この２枚の板の長手方向の両辺に伸縮性の輪ゴムがかけられる１ヶ所または複数ヶ所で対を成す溝を夫々の板の両辺に形成し、形成する該溝の深さは該箸を使用する際に該箸の上部が１個または複数個の輪ゴムを伸ばして嵌め込んで該輪ゴムの収縮力により箸の上部を挟み、箸先を広げられる深さの溝として形成し、下板に形成する支点ストッパーを上板の範囲内に形成または固着する場合には該支点ストッパーの高さは該箸の上部が上板と下板の平板部の間に常に挟めるように該箸の上部の太さ寸法より若干少ない寸法で形成するか、又は、該箸の上部の寸法より大きい寸法で形成した時には上板に相対する位置において孔または凹みや切り欠きなどの逃げ部分を形成し、該箸を使用する際には、該上板と該下板を該支点ストッパーが内側に挟まるように平板部を合わせて該溝に該輪ゴムを嵌め込み、該輪ゴムの収縮力によって２本の箸の上部を上板と下板の間に挟み、且つ、支点ストッパーの両側に組み合わせ、該輪ゴムの収縮力によって該溝において２本の箸を両側より内側に挟み込んで箸先を広げ、該箸の中間部を握ると該箸の上部が支点ストッパーを支点にして旋回して輪ゴムを伸ばし、尚且つ、該輪ゴムが上板と下板の平板部で箸の上部を挟みつけ、該箸の動きが上板と下板の平板部によって一定平面内に拘束され、該箸の上部が一定方向の動きに規制されて摺動し、箸先が一定方向の動きに規制されて合わさるように動き揃うことを特徴とする箸ホルダー。
【請求項３】
箸の上部において２本の箸の内側で当たる支点ストッパーと該箸の上端部で当たるストッパーを支点ストッパーの幅より若干少ない幅で、また、支点ストッパーとストッパーの高さは該箸の太さ寸法の約半分強の高さ寸法で上板と下板からなる２枚の板の短手方向の両辺の端部近傍で隣り合う位置において上板と下板を合わせた時に滑合する状態で夫々に形成または固着し、上板と下板の２枚の板の長手方向の両辺に伸縮性の輪ゴムがかけられる１ヶ所または複数ヶ所で対を成す溝を形成し、尚且つ、該箸の上部が１個または数個の該輪ゴムを伸ばして嵌め込んだ時に該輪ゴムの収縮力により箸の上部を挟みこめる深さの溝を形成し、下板の上面側の支点ストッパーとストッパーの立ち上がり部を除く部分において一定平面となる平板部を形成し、該上板と該下板の夫々の支点ストッパーとストッパーを内側に挟むように滑合する状態で噛み合わせて該溝に該輪ゴムを嵌め込み、該箸を使用する際には該輪ゴムの収縮力によって２本の箸の上部を上板と下板の平板部の間に挟み支点ストッパーの両側に組み合わせ、該輪ゴムの収縮力によって支点ストッパーとストッパーの間の該溝にて２本の箸を両側より内側に挟み込み、該箸の中間部を握ると該箸の上部が支点ストッパーを支点にして旋回し平板部で箸の上部の動きが上板と下板の平板部の一定平面内に拘束され、箸の上部が該平板部によって一定方向の動きに規制されて摺動し、箸先が合わさるように動き揃うことを特徴とする請求項２に記載の箸ホルダー。
【請求項４】
箸ホルダーにおいて形成する支点ストッパーやストッパーを下板または上板の何れかの一方にのみに形成し、支点ストッパーやストッパーの夫々の高さ寸法を箸の太さ寸法より高い寸法で形成し、支点ストッパーやストッパーに箸が当る面を夫々に形成し、相対する他方の板に支点ストッパーやストッパーを通す部分として孔や凹み、または、切り欠き部などを形成するか、または、支点ストッパーとストッパーの間に入る広さの板とするなどし、前記と同様に上板と下板の平板部との間に箸を挟み込んだ時に該溝に嵌め込んだ輪ゴムの収縮力で該箸を一定の方向に押さえ込み、該箸を使用する際には該箸の中間部を握ると該箸が支点ストッパー箸当り面の鋭角部の位置を支点にして上板と下板の平板部の間で一定方向の動きに規制されて摺動し、箸先が合わさるように動き揃うことを特徴とする請求項２、または請求項３に記載の箸ホルダー。
【請求項５】
箸ホルダーにおいて形成する支点ストッパーのみを下板の平板部の中間部に形成し、上板と下板の夫々の平板部の両端部近傍において該支点ストッパーの幅寸法より相対する溝の底間の寸法が広い溝即ち溝自体が浅い溝と、幅寸法より相対する溝の底間の寸法が狭い溝即ち溝自体深い溝のどちらかを１対ずつ形成し、前記と同様に上板の平板部と下板の平板部の間に箸を挟み込んだ時に２箇所の該溝に夫々に輪ゴムをかけ、輪ゴムの収縮力で該箸を一定の方向に押さえ込み、該箸を使用する際には該箸の中間部を握ることにより該箸が支点ストッパーの箸先側の箸当り面の角の位置を支点にして上板と下板の平板間で一定方向の動きに規制されて摺動し、箸先が合わさるように動き揃うことを特徴とする請求項１〜請求項４のうち、いずれか１項に記載の箸ホルダー。
【発明の詳細な説明】
【技術分野】
【０００１】
本発明は、通常の箸では持つのが困難な人用に箸の上部で接触して箸が可動する支点部を有する特殊箸で、手や指に障害のある方には、有効な自助具で、指先の動きが悪くなった方や利き手の骨折などで使えなくなった方、箸を使ったことのない外国人の方が箸で食事が取れるようにするための道具、また旅行や外食時に持ち運びに便利な箸の自助具に関するものである。
【背景技術】
【０００２】
従来、通常の箸では持つのが困難な人用の専用箸として箸の上部で連結して可動するヒンジ部と摺動部を有する特殊箸で自助具として市販されているものがある。また、箸の上部をバネ性のある樹脂や金属で2本の箸を一体に連結された特殊箸も市販されている。
これらの特殊箸を使う人は、旅行や外食時にもマイ箸としてこれらの特殊箸を持ち歩く必要があり、箸箱が大きくなり持ち運び時には嵩張ってしまった。
また、急に利き腕や利き手に骨折などの負傷をして、不自由になった方で食事を取ることが必要になった人には、日頃自分が使っている通常の市販の箸や外食時に出される割り箸などを使うことは、難しく、スプーンやフォークを持ってこれらに対応しなくてはならなかった（例えば、非特許文献１参照）。
また、負傷したのが主婦の場合には、食事を作る際にスプーンやフォークだけでは料理が難しく、特に揚げ物などの料理には利き手でない方で使える箸が必要であった。
又、従来技術である実公昭６３−２０３９１号公報（特許文献１）には、箸の補助具であるが、２枚の板の間隔が一定に形成されており、箸の太さをその間隔に合わせた専用の箸しか使用できず、上下の板は３辺で一体に固定されているために内面では箸を装着した際に箸の面との間に常に何がしかの隙間が存在する構成である。
箸の太さが細い物を装着した際には、箸先が隙間の量の５〜６倍の変位量で揃わなくなり、又逆に箸の太さの太いものは、この箸の補助具には装着できず使えない欠点が存在する。
他に、特開２００６−１１０２８４号公報（特許文献２）は、箸補助具であるが、ガイド凹部と支え凸部とストッパー部を一体に形成した物で、ガイド凹部の隙間は一定の間隔で形成されており、箸の太さは、その間隔に合わせた専用の箸にしか使用できない箸補助具であり、前記と同様の欠点が存在する。
【先行技術文献】
【非特許文献】
【０００３】
【非特許文献１】自助具ハンドブック｛（財団法人テクノエイド協会編）の第１４頁〜第１６頁｝
【特許文献】
【０００４】
【特許文献１】実公昭６３−２０３９１号公報（実用新案登録請求の範囲の欄、考案の詳細な説明の欄、及び図１〜図８を参照）
【特許文献２】特開２００６−１１０２８４号公報（特許請求の範囲の欄、発明の詳細な説明の欄、及び図１ａ〜図３ｃを参照）
【発明の概要】
【発明が解決しようとする課題】
【０００５】
しかしながら、自助具として使われるこれら特殊箸は、箸の上部で連結して可動するヒンジ部を有する特殊箸の場合、高価であり、２本の箸が一体に連結されており、箸の可動ヒンジ部などに塵などが挟まってしまった場合や金属製の可動ヒンジ部では錆びてしまった場合などにはその場で分解して綺麗に洗い流すことが難しかった。
これらの特殊箸のヒンジ部には箸先の動きを一定にさせるために可動ヒンジの摺動部を広くし、その隙間を狭く調整して作り上げる必要があった。従って、この摺動部に食べ物などが誤って挟まった時には箸の動きが悪くなり、手の不自由な方には、その時には使いづらいものであった。
また、バネ性のある樹脂や金属で２本の箸を一体に連結された箸もあるが、これは、比較的安価に入手できるが、不自由な手で握ると箸先にずれを生じ、食物を摘み上げることが難しくなるなどの欠点があった。
更に、手の動きに障害が出た人に少しでも動く指先の機能回復をさせるには、不自由な手でも使える箸が必要で、こうした人が自分で箸が使えるためには、箸先が常に合わさり簡単な動作で食物をしっかり挟める必要があった。また、太さの異なる箸でも装着でき、常に箸先が合わさる動きをする物で安価にでき、分解清掃が容易でしかもメンテナンスの容易な物が必要であった。
【課題を解決するための手段】
【０００６】
上記課題を解決するための本発明の第１の発明は、請求項１に記載された通り一般に市販されていて日頃使い慣れている箸が使える箸ホルダーであり、次のようなものである。
少なくとも片面に平らな平板部を有する２枚の板の平板部で箸の上部の近傍を挟む２枚の板と、該板の箸先側の端部近傍において２本の箸の内側で当たり所要幅を保ち箸が当る部分を支点にして回動する支点ストッパーを該板に一体または別体に形成した支点ストッパーと、該２枚の板を介して該箸の上部を挟む弾性体と、該箸の上部を挟んで支点ストッパーに押し当てる弾性体で構成した箸ホルダーで、該箸を使用する際に該箸の上部が弾性体の弾性力により箸の上部を平板部で挟み、該箸の上部を弾性体によって挟んで支点ストッパーに押し当て箸先を広げ、該箸の中間部を握ると該箸の上部が支点ストッパーを支点にして旋回して箸の上部で支点ストッパーに押し当てる弾性体を押し広げ、尚且つ、他方の弾性体が平板部において箸の上部を挟むために摺動部において常に隙間が無くなり、該箸の動きが上板と下板の平板部によって一定平面内に拘束され、該箸の上部は一定平面内の動きに規制されて摺動し、箸先が一定方向の動きに規制され直線状の箸または同じ方向に反りがある箸が装着されているものであれば箸の太さに関係せず常に箸先が合わさるように動き揃う箸ホルダーとする構成である。
尚、該上板及び下板に形成する平板部は、上板及び下板の短手方向の両辺の近傍において２箇所に分けて平板部を一定平面に形成するか外縁部に平板部を形成し、その中間部は、凹ました場合にも同様の働きがあることは言うまでもない。
更に、本発明の箸ホルダーの外形形状は、以下に図示した如く直線状に拘ることはなく、楕円形やその他曲線との組み合わせ形状でも平板部が形成できる形状であれば良く、外観形状を規定するものではない。説明上分かり易くする目的で矩形を主体に図示し、説明する。
また、支点ストッパーの寸法は、一般の使用状態である平板部内に支点ストッパーを形成する場合には、該箸の太さ寸法より若干少ない寸法の高さで作り、平板部外に支点ストッパーを形成する場合には、高さ寸法は大きくても良く、又、その幅寸法は１〜４ｃｍの幅で形成するのが良いが、箸先で小さいものだけを摘む専用の箸ホルダーの場合には１ｃｍより少なくても良く、また、大物の煮物用では８ｃｍ程度のものでも良い。但し、長さを規定するものではない。
【０００７】
上記課題を解決するための本発明の第２の発明は、請求項２に記載された通り一般に市販されていて日頃使い慣れている箸が使える箸ホルダーであり、次のようなものである。
箸の上部近傍を上板と下板からなる両面または片面が平らな平板部を有する２枚の板の平板部で挟み、下板において平板部の長手方向の箸先側の片方の端部近傍で該箸の上部の近傍が２本の箸の内側で当たり所要幅を保つための支点ストッパーを形成または固着し、この２枚の板の長手方向の両辺に伸縮性の輪ゴムがかけられる１ヶ所または複数ヶ所で対を成す溝を夫々の板の両辺に形成し、形成する該溝の深さは該箸を使用する際に該箸の上部が１個または複数個の輪ゴムを伸ばして嵌め込んで該輪ゴムの収縮力により箸の上部を挟み、箸先を広げられる深さの溝として形成し、下板に形成する支点ストッパーを上板の範囲内に形成または固着する場合には該支点ストッパーの高さは該箸の上部が上板と下板の平板部の間に常に挟めるように該箸の上部の太さ寸法より若干少ない寸法で形成するか、又は、該箸の上部の寸法より大きい寸法で形成した時には上板に相対する位置において孔または凹みや切り欠きなどの逃げ部分を形成し、該箸を使用する際には、該上板と該下板を該支点ストッパーが内側に挟まるように平板部を合わせて該溝に該輪ゴムを嵌め込み、該輪ゴムの収縮力によって２本の箸の上部を上板と下板の間に挟み、且つ、支点ストッパーの両側に組み合わせ、該輪ゴムの収縮力によって該溝において２本の箸を両側より内側に挟み込んで箸先を広げ、該箸の中間部を握ると該箸の上部が支点ストッパーを支点にして旋回して輪ゴムを伸ばし、尚且つ、該輪ゴムが上板と下板の平板部で箸の上部を挟みつけ、該箸の動きが上板と下板の平板部によって一定平面内に拘束され、該箸の上部が一定方向の動きに規制されて摺動し、箸先が一定方向の動きに規制されて合わさるように動き揃う箸ホルダーとする構成である。
【０００８】
更に、上板と下板の材料が柔らかい材料の場合や変形しやすいなどの特性のある合成樹脂などの材料を使用した場合には、下板の平板部側の支点ストッパーの立ち上がり部を除く部分において一定平面となる平板部を箸の上端部近傍と支点ストッパー近傍において２箇所に分けて平板部を一定平面に形成し、その中間部を若干凹ました場合や上板にも同様に２箇所に分けて平板部を形成した場合にも同様の働きがあり上板や下板が輪ゴムの力で湾曲してもより強力に箸の上部の動きを一定平面に規制するために平板部を形成すると良いことは言うまでもない。同様に上板や下板の周縁部に平板部を形成しても良いことは言うまでもない。しかし、上板と下板が曲りに対する強度が強い場合には、これらの板が一定平面を保てれば中間部に凹みのある平板部は必要としないことは言うまでもない。
また、支点ストッパーを平板部の内に形成する場合には、支点ストッパーの寸法は、該箸の太さ寸法より若干少ない寸法の高さと所要の幅は、１〜３ｃｍ前後の幅で形成するのが良いが、箸先で小さいものだけを摘む専用の箸ホルダーの場合には１ｃｍより少なくても良く、大きいもの用には３ｃｍ以上の幅でも良い。
また、支点ストッパーの高さ寸法が箸の上部の寸法より大きい場合には、上板の相対する位置において孔又は凹みや切り欠きなどの逃げ部分を形成して箸の上部が上板と下板平板部に常に接触できる大きさの孔や深さの凹みにすることは言うまでもなく、支点ストッパーの形成する位置は下板の端部の外側に形成することもでき該支点ストッパーの高さは箸の上部の太さ寸法より高く出来ることは言うまでもない。更に、下板に形成した支点ストッパーも下板と共に上板の平らな面の側から上板の内部に入り込むように上板を下板の形状に合わせて凹み部を形成し、箸を挿入しない場合には下板が上板の内部に嵌まり込み箸置きとしても使えるように出来ることは言うまでもない。
また、支点ストッパーは下板に形成するのではなく逆に上板に同様に形成してもよいことは言うまでもない。
また、本発明の箸ホルダーでは、輪ゴムの伸縮により上板と下板の間隔が箸の太さにより追随して調整され、常にそれらの平板部と箸の上部が接触し摺動するために箸の太さの影響で箸先が揃わず狂って変化することはなく割り箸でも一般の市販の箸でも使える効果がある。
また、本発明の上板を使わずに下板に輪ゴムを強力にするか複数個所にかけるなどしても箸ホルダーとして使えることは言うまでもないが、箸を箸ホルダーの輪ゴムに通しづらくなる欠点があるが本発明の意図する目的は達成できるため本発明の範囲内であることは言うまでもないが、箸先が握る力の掛けようでは揃わなくなる弱点がある。また、上板と下板とを説明上区分しているが上下逆に製作しても同じであることは言うまでもない。
【０００９】
上記課題を解決するための本発明の第３の発明は、請求項３に記載された通り一般に市販されていて日頃使い慣れている箸が使える箸ホルダーであり、次のようなものである。
請求項２に記載の箸ホルダーに加えて、箸の上部において２本の箸の内側で当たる支点ストッパーと該箸の上端部で当たるストッパーを支点ストッパーの幅より若干少ない幅で、また、支点ストッパーとストッパーの高さは該箸の太さ寸法の約半分強の高さ寸法で上板と下板からなる２枚の板の短手方向の両辺の端部近傍で隣り合う位置において上板と下板を合わせた時に滑合する状態で夫々に形成または固着し、上板と下板の２枚の板の長手方向の両辺に伸縮性の輪ゴムがかけられる１ヶ所または複数ヶ所で対を成す溝を形成し、尚且つ、該箸の上部が１個または数個の該輪ゴムを伸ばして嵌め込んだ時に該輪ゴムの収縮力により箸の上部を挟みこめる深さの溝を形成し、下板の上面側の支点ストッパーとストッパーの立ち上がり部を除く部分において一定平面となる平板部を形成し、該上板と該下板の夫々の支点ストッパーとストッパーを内側に挟むように滑合する状態で噛み合わせて該溝に該輪ゴムを嵌め込み、該箸を使用する際には該輪ゴムの収縮力によって２本の箸の上部を上板と下板の平板部の間に挟み支点ストッパーの両側に組み合わせ、該輪ゴムの収縮力によって支点ストッパーとストッパーの間の該溝にて２本の箸を両側より内側に挟み込み、該箸の中間部を握ると該箸の上部が支点ストッパーを支点にして旋回し平板部で箸の上部の動きが上板と下板の平板部の一定平面内に拘束され、箸の上部が該平板部によって一定方向の動きに規制されて摺動し、箸先が合わさるように動き揃う箸ホルダーとする構成である。
【００１０】
本構成によると、該箸ホルダーは下板の平板部の一定平面内で箸の上部を常に一定平面に押し付けて動くように上板を介して輪ゴムの力で規制されるために一体の箸先は同様に動きを規制され、箸を握ると箸が直線状のものであれば常に箸先が合わさり揃うことになる。また、該平板部には輪ゴムの力で箸の上部が押し付けられるが、平板部の撓みを考慮して平板部の中間部に窪みや段差状の凹みを付け箸の上部がより強く両側の平板部で挟まれ動きを強く一定平面内に規制されるようにするのも良いことは言うまでもない。
この場合に使用される箸は、箸ホルダーに挟まれる部分で箸の外側が直線状であるものが望ましい。また、箸そのものは、２本の箸に曲りの無い物が好ましいが、手の不自由な方用には箸先の内側が少し平らな部分を作り数ミリ幅の平らな面が合わさる箸先でその外側には少し傾斜するように先を尖らせて箸先で食物を突くと食物が割れる箸先形状にするのが良い。更に、箸の上部の断面形状は、箸に曲がりが無ければ四角や丸状の物でも６角や８角などでも良く断面形状に拘らない。但し、極度に手の不自由な方用の専用の箸として使う場合には箸の上部だけは、箸が回りづらいので角型が使い良い。
尚、上板と下板は、合成樹脂を射出成形などで支点ストッパーとストッパーや溝などを同時に一体に形成する方法が良いが、各部分を夫々に作って加工し、接着剤などで接着して一体に形成しても良いことは、言うまでもない。従って、これらの各部分は、異なる材質のもので作ってもよい。
【００１１】
更に、上記課題を解決するための本発明の第３の発明は、次に記載する一部の修正を加える事により日頃使い慣れている箸がより使いやすく概観も良い箸ホルダーとなり、次のように構成を一部修正しても良い。
請求項３記載の箸ホルダーの構成において上板の底面側に一定平面となる平板部を形成し、上板と下板を重ね合わせた時に下板のストッパーにストッパー箸当り面と支点ストッパーに支点ストッパー箸当り面、及び、上板のストッパーにストッパー箸当り面を形成し、これら片側３つの箸当り面が両側において夫々に直線状に平面を形成し、ストッパーの幅寸法が支点ストッパーの幅寸法より狭く形成し、上板の支点ストッパーと下板の支点ストッパーの幅寸法とが略同じ幅寸法で支点ストッパー箸当り面と対称方向の支点ストッパー箸当り面を形成し、夫々のストッパーの高さを箸の上部の太さ寸法より若干少ない寸法で形成し、上板の下側の支点ストッパーとストッパーの立下り部を除く部分において一定平面となる平板部を形成し、該上板の平板部と該下板の平板部の間に箸を挟み込んだ時に輪ゴムの収縮力を利用して該箸を一定面内に平板部によって押さえ込み、下板のストッパーのストッパー箸当り面と支点ストッパーの支点ストッパー箸当り面、及び、上板のストッパーのストッパー箸当り面に箸の上部を溝に嵌った輪ゴムの収縮力によって外側から内側へ押し当て、該箸を使用する際には該箸の中間部を握ると該箸が支点ストッパー箸当り面の鋭角部の位置を支点にして夫々の平板部間で一定方向の動きに規制されて摺動し、箸先が合わさるように動き揃う箸ホルダーとする構成も可能である。
【００１２】
尚、上板と下板の支点ストッパーとストッパーの位置関係が図１１及び図２０に点線で図示されたものは、夫々の間で２箇所の摺動面となっているが、上板支点ストッパーに下板支点ストッパーの裏側で別の摺動面を形成して上板ストッパーと下板ストッパーの間では摺動面を形成せず夫々のストッパーの高さを箸の太さの半分より少し少なめの高さにして同じ位置関係で突き当て式の上板ストッパーと下板ストッパーを形成しても同じ働きをする箸ホルダーとすることが出来ることは、言うまでもない。
また、支点ストッパーをストッパーより広い幅で形成して箸当り面に箸の上部が夫々の両側で輪ゴムの力で引き寄せられた時に箸が箸先で広がるように支点ストッパーとストッパーの夫々の寸法を決め、また、箸当り面の傾斜角度を決めるのが良い。但し、細かい物を選別する特別な場合に使用する箸ホルダーでは、逆に箸先が少し狭くなるように寸法を決めるのが良い。特に支点ストッパーの幅などの寸法は規定しないが一般の箸に使う場合には１ｃｍ〜３ｃｍ前後が良い。特殊箸の場合には、その幅が更に増減しても良いことは言うまでもない。
また、上板の平板部や下板の平板部以外の外側の表面には凹凸で外国人や子供が好むデザインやキャラクターなどを付けることや、印刷やラベルなどで宣伝文を表示することも良く、箸が輪ゴムの力で上板と下板に挟まれ摺動する内側の平板部の周縁部のみが平面に保たれていれば他の部位で図示された形状を変更することもあってよいことは、言うまでもない。
また、該平板部には輪ゴムの力で箸の上部が押し付けられるが、上板や下板の平板部の撓みを考慮して平板部の中間部に窪みや段差状の凹みを付け、箸の上部がより強く両側の平板部で挟まれ動きを強く一定平面内に規制されるようにするのも良いことは言うまでもない。
また、平板部の内側の平面において箸の上部を挟み込むが、支点ストッパーとストッパーの端部などの近傍において支点ストッパーとストッパーに平行な細い線状の平面を作りその内側や外側に少しの凹みを持たせても箸の上部の動きが一定面内に規制できる物であれば同様の作用があり本発明の目的として同様に有効であることは言うまでもない。
また、その場合、細い線状の平面は、直線でなく箸の旋回する軌跡に合わせて形成しても良く、一定平面内であれば直線状に拘ることなく曲線状に形成しても良いことは言うまでもない。
【００１３】
上記課題を解決するための本発明の第４の発明は、請求項４に記載された通り一般に市販されていて日頃使い慣れている箸が使える箸ホルダーであり、次のようなものである。
請求項２または請求項３に記載の箸ホルダーにおいて形成する支点ストッパーやストッパーを下板または上板の何れかの一方にのみに形成し、支点ストッパーやストッパーの夫々の高さ寸法を箸の太さ寸法より高い寸法で形成し、支点ストッパーやストッパーに箸が当る面を夫々に形成し、相対する他方の板に支点ストッパーやストッパーを通す部分として孔や凹み、または、切り欠き部などを形成するか、または、支点ストッパーとストッパーの間に入る少し狭い広さの板とするなどし、前記と同様に上板と下板の平板部との間に箸を挟み込んだ時に該溝に嵌め込んだ輪ゴムの収縮力で該箸を一定の方向に押さえ込み、該箸を使用する際には該箸の中間部を握ると該箸が支点ストッパー箸当り面の鋭角部の位置を支点にして上板と下板の平板部の間で一定方向の動きに規制されて摺動し、箸先が合わさるように動き揃う箸ホルダーとする構成である。
【００１４】
尚、支点ストッパーやストッパーを通す孔を形成する場合には、例えば図１６に示す位置関係で支点ストッパーやストッパーが通るように凹みまたは貫通する孔の寸法を決めるのが良い。また、切り欠き部を形成する場合には、例えば図１５に示す位置関係で切り欠き寸法を支点ストッパーやストッパーが通るように決めるのが良い。また、支点ストッパーやストッパー高さ方向の断面は平行面を有する四辺形でなく、円柱形を当り面として円柱形の支点ストッパーやストッパーを箸当り面の位置を外側にして４箇所に立てることでも同様の働きを得ることができることは、言うまでもなく、形に拘ることではない。
更に、他方の板を支点ストッパーとストッパーの間に入る広さの板とするなどして凹みや切り欠き部などを設けずに広さの異なる平らな面を有する２枚の板で作ることもできるが支点ストッパーとストッパーを平らな面の外側に即ち端面の外側に形成し略同じ広さの平らな面を有する２枚の板で作ることもできることは言うまでもない。また、請求項１の場合においても同様に支点ストッパーを端面の外側に形成して同様に形成することが可能である。
また、これらの孔や切り欠きには、支点ストッパーやストッパーが通る際にスムースに動く程度の隙間があるのが良い。
更に、平板部の長手方向で中心線部に該箸の太さより若干少ない高さで平板に隙間を持たせる支持棒を上板または下板に形成しておくと箸を通しやすくする働きがあり、有効であり支持棒を形成しておくのが良いが、支持棒が無くても良いことは言うまでもない。
【００１５】
上記課題を解決するための本発明の第５の発明は、請求項５に記載された通り一般に市販されていて日頃使い慣れている箸が使える箸ホルダーであり、次のようなものである。
請求項２〜請求項４のうち、いずれか１項に記載の箸ホルダーに加えて、形成する支点ストッパーのみを下板の平板部の中間部に形成し、上板と下板の夫々の平板部の両端部近傍において該支点ストッパーの幅寸法より相対する溝の底間の寸法が広い溝即ち溝自体が浅い溝と、幅寸法より相対する溝の底間の寸法が狭い溝即ち溝自体深い溝のどちらかを１対ずつ形成し、前記と同様に上板の平板部と下板の平板部の間に箸を挟み込んだ時に２箇所の該溝に夫々に輪ゴムをかけ、輪ゴムの収縮力で該箸を一定の方向に押さえ込み、該箸を使用する際には該箸の中間部を握ることにより該箸が支点ストッパーの箸先側の箸当り面の角の位置を支点にして上板と下板の平板間で一定方向の動きに規制されて摺動し、箸先が合わさるように動き揃う箸ホルダーとする構成である。
【００１６】
尚、請求項４または請求項５による該支点ストッパーの高さ寸法を箸の太さ寸法より高い寸法で形成した場合には、他方の上板に相対する平板部の中間部の位置において支点ストッパーを通す孔または凹みを形成するが、それらの位置関係については、支点ストッパーを通す孔を形成する場合には、図２２、または図２４に示す位置関係で支点ストッパーが滑合するように孔寸法を決めるのが良い。
また、支点ストッパーの高さ方向の断面は平行面を有する台形でなく、２本の円柱形の支点ストッパーを当り面として２箇所に立てることでも同様の働きを得ることができることは、言うまでもなく、菱形や楕円など形に拘るものではない。
また、溝の深さの浅い側と深い側の差によって箸の開き角度を調整し、輪ゴムの強さを加減して箸の握る力を調整できることは言うまでもない。
該箸の上部が該箸ホルダーに挟み込まれ平板内で支点ストッパー側に押し当てられる箸当り面は、図２２では平面であるが、２本の円柱形の支点ストッパーとした場合には、曲面となる。また、箸を平板部と平板部と輪ゴムの間に１本ずつ通す時に箸が通しやすいように箸の太さ寸法より少し少なめの高さを有する支持棒を中心線上の両端部近傍に一体に形成もしくは固着しておくのも良い。
また、上板に支点ストッパーを通す凹みを形成する場合には箸を通しやすくする支持棒の代わりに凹みの深さを浅くして同様の働きをさせることも可能であることは言うまでもない。
また、この場合、上板を外して輪ゴムを強くし、下板と2箇所の輪ゴムだけで箸ホルダーとしても使えることは言うまでもないが、箸先が握る力の掛けようでは揃わなくなる弱点がある。
【発明の効果】
【００１７】
本発明に係る箸ホルダーは、上記説明のような構成を有するので、以下に記載する効果を奏する。
（１）本発明の箸ホルダーでは、並行する平板部とストッパーによって弾性体や輪ゴムの伸縮力で箸の上部が常に一定平面内で一定方向にしか動かないように規制されて摺動するために箸の先が常に一定の位置で合わさる動きと箸先が揃う働きをする。そのため、不自由な手で箸を握っても箸先は一定の方向に挟み込まれ動き揃うために小さな物でも摘み易い効果がある。
（２）箸ホルダー内で挟まれた箸の上部の間に塵や食物などが詰まっても弾性体や輪ゴムが伸びて平板部を広げるために箸の上部が容易に平板部内で摺動できるのでヒンジ部を有する箸の補助具のように動きが悪くなることは無い。
（３）一般に市販されている割り箸や日頃使っている箸などに本発明の箸ホルダーを使って組み合わせれば、急に怪我などで利き手が使えなくなった場合、もう一方の動きが不自由な手で箸を握るだけで食物などを摘まみあげることが出来る。
また、健常者と一緒に外出した場合、箸ホルダーのみを携帯しての外食も割り箸で食事ができ、旅行時にも嵩張らないので良い。
（４）本発明の箸ホルダーは、構造が簡単な形状で、合成樹脂などの射出成形で安価に製作でき、輪ゴムも一般で市販されているものを何回か巻きつければよく、安価にホルダーが作れる。
（５）本発明の箸ホルダーは、分解が容易で、清潔に洗いやすいものである。また、輪ゴムは、一般に市販されている物で良く、汚れれば容易に交換できる。また、劣化しても交換しやすく、費用も殆んどかからない。箸は、太さの異なる使い捨ての割り箸でも該箸ホルダーに装着できる。
（６）本発明の箸ホルダーは箸と組み合わせて実際には使用するが、手に機能障害等で麻痺が残る人には機能回復訓練をする自助具としても有効で、また、脳梗塞を患って手に障害のある人のリハビリ用としても役立つ。
（７）手の機能障害が進む人には、溝に輪ゴムのかける位置を支点ストッパー側に寄せることや輪ゴムを巻きつける回数を少なくして箸を握る時の力を少なく調整できるため、必要握力を弱くも強くも調整できるので本発明の箸ホルダーは、１個だけで幅広く対応できる。
（８）箸を使ったことの無い外国人や箸を上手に使えない子供達にも本発明の箸ホルダーを付けた箸では、上手に箸を使うことができ、箸の使い方の訓練用にも使える。また、上板や下板の表面にキャラクターやラベルなどを貼り付けることや一体に形成して可愛くもできる。
（９）子供達に従来の箸の自助具を与えた場合、子供達が箸で遊び箸を広げて分解して元に復元できなくなって壊れるケースが多かったが、しかし、本発明の箸ホルダーを使わせた場合には、箸を広げると輪ゴムが伸びて箸が外れ、輪ゴムを外すと分解でき、箸ホルダー自体は壊れることが少なく、再度、組み立てで復元できる効果がある。
また、子供達には、本発明の箸ホルダーの箸の動きは、「平面内で動く２本の直線は、必ず交わる原理」で分かり易く、物理や幾何の基礎の勉強に利用することができる。
（１０）箸ホルダーの平板部に手を怪我した人達がかかる病院名を表示したラベルなどを貼って宣伝することも可能で、安価に出来るのでこれらの人が容易に病院からも購入し活用できるなど効果が期待できる。
（１１）箸を本発明の箸ホルダーに逆方向に装着することができ、極度に手が麻痺したり痙攣したりする障害者には本発明の箸ホルダーでは食物を輪ゴムの力でクリップの如く挟み、箸を使って食事ができる効果がある。
（１２）本発明の箸ホルダーは、箸を装着しない状態では、箸置きとしても使え、外国人に日本料理を出す時に箸が使えない人には使い方を教えて箸で食事してもらえるため、外国での日本料理店などでも活用できる。
【図面の簡単な説明】
【００１８】
【図１】本発明の第１実施例の箸ホルダーに箸を装着した状態を示す正面図である。
【図２】図１の右側面図である。
【図３】図１における中心線部における箸ホルダーの部分断面図で拡大図である。
【図４】本発明の第２実施例の箸ホルダーに箸を装着した状態を示す正面図である。
【図５】図４の右側面図である。
【図６】図４における中心線Ｂ−Ｂの矢印方向の箸ホルダーの断面を示す部分拡大図である。
【図７】本発明の第２実施例における、別態様の一実施例の箸ホルダーの平面図である。
【図８】図7の箸ホルダーの側面図である。
【図９】図７及び図８に示す箸ホルダーの上板の底面図である。
【図１０】図７及び図８に示す箸ホルダーの下板の平面図である。
【図１１】本発明の第３実施例の箸ホルダーの平面拡大図である。
【図１２】上記の図１１の箸ホルダーの正面拡大図である。
【図１３】図１１及び図１２に示す箸ホルダーの上板の平面拡大図である。
【図１４】図１３に示す箸ホルダーの正面拡大図である。
【図１５】図１４に示す箸ホルダーの底面拡大図である。
【図１６】図１１及び図１２に示す箸ホルダーの下板の平面拡大図である。
【図１７】図１６に示す箸ホルダーの下板の正面拡大図である。
【図１８】図１７に示す箸ホルダーの下板の底面拡大図である。
【図１９】図１１及び図１２に示した輪ゴムの正面拡大図である。
【図２０】本発明の第３実施例における、別態様の一実施例の箸ホルダーの平面拡大図である。
【図２１】図２０に示す箸ホルダーの正面拡大図である。
【図２２】本発明の第４実施例の箸ホルダーの平面拡大図である。
【図２３】図２２に示す箸ホルダーの正面拡大図である。
【図２４】本発明の第５実施例の箸ホルダーと箸を装着した状態を示す平面図である。
【図２５】図２４の箸ホルダーと箸を装着した状態を示す正面図である。
【図２６】図２４における中心線Ａ−Ａの矢印方向の箸ホルダーの断面図である。
【発明を実施するための形態】
【００１９】
箸の上部の近傍が２本の箸の内側で当たるストッパーと下方向へ少し間隔をあけて当たる支点ストッパーを上板と下板からなる２枚の平板部の短手方向の両辺の端部近傍に夫々に形成または固着し、上板と下板の長手方向の両辺に伸縮性の弾性体、例えば輪ゴムがかけられる１ヶ所または複数ヶ所で対を成す溝で該箸の上部が該輪ゴムを伸ばして嵌め込んで該輪ゴムの収縮力により箸の上部を挟みこめる深さの溝を形成し、該上板と該下板の夫々のストッパーと支点ストッパーを内側に滑合して挟めるように形成し、これらを噛み合わせて該溝に該輪ゴムを嵌め込み、輪ゴムの収縮力によって上板と下板と２本の箸を組み合わせ、該箸を使用する際には該箸の上部を上板と下板の夫々の平板部の間に挟み、該輪ゴムの収縮力によってストッパーと支点ストッパーの間の溝にて２本の箸を両側より内側に挟み込む構成とし、更に、該箸ホルダーにおいて上板と下板を重ね合わせた時に下板のストッパーにストッパー箸当り面と支点ストッパーに支点ストッパー箸当り面、及び、上板のストッパーにストッパー箸当り面のこれら３つの箸当り面が両側で夫々に直線状に平行面を形成し、ストッパーの幅寸法が支点ストッパーの幅寸法より狭く形成し、上板の支点ストッパーと下板の支点ストッパーの幅寸法とが略同じ幅寸法で支点ストッパー箸当り面と対称方向の支点ストッパー箸当り面を形成し、夫々のストッパーの高さを箸の上部の太さ寸法より若干少ない寸法で形成し、上板の平板部と下板の平板部の間に箸を挟み込んだ時に輪ゴムの収縮力を利用して該箸を一定面内に平板部によって押さえ込み、下板のストッパーのストッパー箸当り面と支点ストッパーの支点ストッパー箸当り面、及び、上板のストッパーのストッパー箸当り面に箸の上部を溝に嵌った輪ゴムの収縮力によって外側から内側へ押し当て、該箸を使用する際には該箸の中間部を握ると該箸が支点ストッパー箸当り面の鋭角部の位置を支点にして平板間で一定方向の動きに輪ゴムの押し付け力によって規制されて摺動し、箸先が合わさるように動き揃う箸ホルダーとする構成が良い。
【００２０】
尚、夫々のストッパーの高さについては、一例として、一般の割り箸の上部の太さ寸法が４．５ｍｍ程度あるためにそれより若干少ない寸法の４ｍｍ程度の高さで形成し、上板の平板部と下板の平板部の間に箸を挟み込んだ時に輪ゴムの収縮力を利用して該箸を一定の面内の平板部によって押さえ込み、溝の深さは、箸の上部が輪ゴムの収縮で押されてストッパーと支点ストッパーの箸当り面に押し付けられる深さの溝に形成し、該箸を使用する際には該箸の中間部を握ると該箸が支点ストッパー箸当り面の鋭角部の位置を支点にして平板間で摺動し箸先が揃う箸ホルダーとするのが良い。この箸ホルダーでは、箸の太さが４ｍｍ以上のものであれば割り箸や一般の箸で１０ｍｍ程度のものまで使うことができる。
尚、割り箸には該箸ホルダーを使用しないのであれば、ストッパーと支点ストッパーの高さは、使用しようとする箸の太さより若干少ない寸法で作ればよいので、男用の塗り箸では、８ｍｍ程度にしても良いことは言うまでもない。
また、このものは、料理用の大きな箸用として割り箸を割らずに２膳を使って縦に使うと広い面で摘める特殊な箸ホルダーとすることも出来る。
【実施例】
【００２１】
以下、本発明の一実施例を添付の図面で詳細に説明する。
図１は、本発明の第１の実施例である箸ホルダーに箸を装着した状態の正面図である。本図においては上板４６の下側に箸３６を挟んで下板４７があり、箸先を広げる始点ストッパーの働きを兼ねる金属板バネ４８で上板４６と２本の箸３６と下板４７とを弾性力によって挟み、Ｃ型バネ５０の弾性力によって２本の箸３６の上部で外側より該箸を金属板バネ４８に形成した支点ストッパー部４９に押し当てた状態を示す使用状態の箸ホルダーの組み立て正面図である。尚、箸３６は、一般の箸であり、本発明の箸ホルダーの発明部分ではないので箸３６が入る場所を想定して２点鎖線で表示した。
【００２２】
図２は、図１の右側面図である。上板４６と下板４７の略中央部で金属板バネ４８が挟み箸３６の上部が上板平板部６２と下板平板部６３の間に挟まった状態を図示したが実際には箸と平板部との間には隙間は発生しない。また、Ｃ型バネ５０の端部で箸３６の上部が２本の箸３６を内側に押し当てている部分を表す一例として示す。Ｃ型バネ５０の傾きや方向、更に形状などは図示したものに限定するものではなく同様の働きをするものであれば、バネの形状や材質、または、押え付ける場所などを問わないことは、言うまでもない。
【００２３】
図３は、図１の中心線部における箸ホルダーの縦方向の断面拡大図である。支点ストッパー部４９は、２本の箸３６の間に当る部分で、金属板バネ４８の板幅で形成した一例で箸３６に当る部分を示す。また、支点ストッパー４９は、別に単独の部品で箸３６に取り付ける構造にしても良いことは言うまでもない。
箸３６は、前記と同様に上部を部分的に２点鎖線で表示した。Ｃ型バネ５０の端部が仮想線で示した箸３６の上部を押している状態を示す。
尚、背面図は、図１と略同じ図面、左側面図は、図２と略同じ図面となるので省略する。
【００２４】
次に、本発明の他の実施例を添付の図面で詳細に説明する。
図４は、本発明の第２実施例の箸ホルダーに箸を装着した状態の正面図である。上板４１に２ヶ所の溝４５を形成し、また、下板支点ストッパー４３を上板４１の端部近傍において点線部に示す位置で下板４２に一体に形成し、同様に下板４２にも２ヶ所の溝４５を形成し、溝４５の深さは、箸の上部が輪ゴム３などの弾性体（以下、輪ゴムという）の収縮で押されて下板支点ストッパー４３に押し付けられる深さに形成し、箸３６を上板４１と下板４２の間に挟み、平板に形成した該溝４５に輪ゴム３を引き伸ばして嵌めた状態を示す使用状態の箸ホルダーの組み立て正面図である。尚、箸３６は、一般の箸であり、本発明の箸ホルダーの発明部分ではないので箸３６が入る場所を想定して２点鎖線で表示した。
尚、下板支点ストッパー４３は下板４２に図３に示す如く別体ではなく、一体に形成された状態を図４には示したが、支点ストッパーを別体で形成する際には、箸の上部において何れかの箸に専用の支点ストッパーを例えば装着するなどしても可能であることは言うまでもない。
【００２５】
図５は、図４の右側面図である。下板４２にも溝４５は対を成すように形成し、下板４２の下板平板部４４に沿って箸３６の上部が輪ゴム３の収縮力で上板４１を介して挟まれた状態を示す使用状態の箸ホルダーの組み立て右側面図である。一定平面をなす下板平板部４４と上板平板部６１によって箸３６の箸先が一定面内で動き合わさることを示す。箸３６は、前記と同様に２点鎖線で表示した。
【００２６】
図６は、図４における中心線Ｂ−Ｂの矢印方向の箸ホルダーの縦方向断面部分拡大図である。下板４２の端部近傍において下板支点ストッパー４３を一体に形成し、下板支点ストッパー４３の高さは、箸３６の上部の太さ寸法より若干少ない寸法で形成することを表示した。また、下板支点ストッパー４３の高さは、箸３６の上部の太さ寸法より大きい寸法で形成する際には、上板４１に相対する部分に凹みや孔を開けて対応することが出来ることは言うまでもない。また、箸３６を挟む上板４１と下板４２の外側の表面は平面状でなく凹凸を持ったデザインを付けてもよく、更に、ラベルや印刷などで表示することも出来ることは言うまでもない。
箸３６は、前記と同様に上部を部分的に２点鎖線で表示した。
尚、背面図は、図４と線対称で略同じ図面、左側面図は、図５と線対称で略同じ図面、上面図と正面図は、図４〜図６により判断できるので省略する。
また、上板４１の広さを下板４２より広くし同時に厚さを厚くして下板４２と下板支点ストッパー４３が上板４１の平らな面の中央部に凹みを付けて格納できる形状に上板４１を形成することも可能で、箸３６を装着しない時には、箸置きとして使用し、箸３６を装着時には図４〜図６の如くなることは言うまでもない。
【００２７】
図７は、本発明の第２実施例における、別態様の一実施例の箸ホルダーの平面拡大図である。上板５１に角型の溝５４を上面と両側面に形成し下板５２の幅に合わせて溝５４を形成し、また、上板５１の底面には下板５２が嵌まり込み格納できるように底面の外縁部に上板平板部５３を残し上板５１の底面図の図９に示す如く下板格納凹部５５と支点ストッパー用凹部５６と下板５２はね出し用凹部５７を形成し、下板５２を底面の凹部に輪ゴムで格納した状態を示す平面図である。
図８は、図７の側面図である。内面で見えない部分は、点線で表示した。
これらの底面図は省略するが、より分かり易くするために上板５１の底面図と下板５２の上面図を次に解説する。
図９は、上板５１のみの底面図であり上板平板部５３がコの字状に向かい合って外縁部に形成し、内部は凹状に下板５２が嵌まり込み、下板５２はね出し用凹部５７に下板５２の端部を押し込むと下板５２に一体に形成した支点ストッパー５８側の端部が下板平板部５３より下側にはね出す働きをする。箸ホルダーに箸を装着する時には、はね出した部分に箸の上部を支点ストッパー５８の両側に挿入し、輪ゴム５９の内側を通して他方の平板部５３より少し出して箸を装着する。箸の使い方は、前記の箸ホルダーと同じである。
図７と図８に示す箸ホルダーは、箸を装着していない時には、箸置きとしても使え他用途にも使うことが出来る。
図１０は、下板５２の平面図で上面が下板平板部６０を形成し支点ストッパー５８を下板５２に一体に形成した一例である。
尚、輪ゴム５９については、図面を省略する。
また、上板５１や下板５２の平板部以外の表面は直線で図示してあるが、嵌め込む際に支障が無ければ曲線でも表面に凹凸が付いていても良く、本発明の範囲であることは言うまでもない。
【００２８】
図１１は、本発明の第３実施例の箸ホルダーの平面拡大図である。上板１に２ヶ所の溝５を形成し、また、上板ストッパー６と上板支点ストッパー７を両端部の点線部に示す位置で一体に形成し、同様に下板２にも2ヶ所の溝５を形成し、溝５の深さは、箸の上部が輪ゴム３の収縮で押されて上板ストッパー６と下板支点ストッパー１２に押し付けられる深さに形成し、また、下板ストッパー１１と下板支点ストッパー１２を滑合するように点線の位置において平板部側に形成して該溝５に輪ゴム３を引き伸ばして嵌めた状態を示す。箸の上部を嵌め込む前の箸ホルダーの組み立て平面図である。
図１２は、上記の第３実施例の図１１の箸ホルダーの正面拡大図である。上板平板部4と下板平板部１０の面を上板ストッパー６と下板ストッパー１１および上板支点ストッパー７と下板支点ストッパー１２が夫々に若干の隙間を隔てて支え、上板１と下板２の夫々の溝５に輪ゴム３が嵌められた状態を示す。ストッパーと支点ストッパーの高さは、通常に使う目的の箸の上部の太さの約半分強で、割り箸に使う場合を考慮して一般に細い割り箸が平板部の間に挟める程度の高さのものが良い。実際に輪ゴム３を嵌めた状態では、下板ストッパー１１と上板１の平板部４の間の隙間を図面上は表記したが同様に他の３箇所にも隙間は、なく突き当てた状態となる。上板１と下板２が別部品であることを示すために敢えて突き当てた部分にも隙間を図示した。
また、図１２の正面図の底面の形状は、図１１の平面図と略同じ形状であるため底面図を省略する。
【００２９】
図１３は、本発明の第３実施例の図１１及び図１２に示す箸ホルダーの上板１の平面拡大図である。溝５が２ヶ所で１対に形成された状態を示す。
図１４は、本発明の第３実施例の図１３に示す箸ホルダーの上板１の正面図で拡大図である。上板ストッパー６と上板支点ストッパー７の位置を上板１の両端部で上板平板部４に垂直方向に一体に形成した状態を示す一例である。
尚、該上板平板部４には、一定平面を形成した状態で図示したが、溝５の辺りの中央部を段差状に凹まして上板１の撓みを考慮するものでも良いことは言うまでもない。
図１５は、本発明の第３実施例の図１４に示す箸ホルダーの底面拡大図である。上板ストッパー６と上板支点ストッパー７の位置とストッパー箸当り面８と支点ストッパー箸当り面９の傾斜面の形成状態を示す一例である。
【００３０】
図１６は、本発明の第３実施例の図１２に示す箸ホルダーの下板２の平面拡大図である。下板ストッパー１１と下板支点ストッパー１２の位置を下板２の両端部近傍に形成しストッパー箸当り面１３と支点ストッパー箸当り面１４の傾斜面の形成状態と溝５が2ヶ所に形成された状態を示す一例である。
図１７は、本発明の第３実施例の図１６に示す箸ホルダーの下板２の正面拡大図である。下板ストッパー１１と下板支点ストッパー１２の位置において下板平板部１０に垂直方向に一体に形成した状態を示す一例である。
これらの下板ストッパー１１と下板支点ストッパー１２の位置の外側に上板ストッパー６と上板支点ストッパー７が嵌り込むが、軽く動けるように若干の隙間が発生するように下板ストッパー１１と下板支点ストッパー１２の位置と隙間を決める。
尚、該下板平板部１０には、一定平面を形成した状態で図示したが、溝５の辺りの中央部を段差状に凹まして下板２の撓みを考慮するものでも良いことは言うまでもない。
図１８は、本発明の第３実施例の図１７に示す箸ホルダーの下板２の底面拡大図である。溝５は、Ｖ字状の形状で略同形状の一対の溝を示したが、輪ゴム３がかけられるものであれば形状の如何を問わない。また、溝の数は、片側に複数個のものを両側に形成しても良い。対を成す複数の溝に輪ゴム３を1個かける時に、支点ストッパーに近い一対の溝の場合には、握力の低下した障害を持つ方に適している。一対の溝のみの箸ホルダーの場合には、同様に握力の低下した人用として輪ゴム３の力の弱いものを使い分けても良い。輪ゴム３の強さは、一般に市販されている輪ゴムの本数で強度の調整が出来、また、輪ゴムを複数回に重ねて巻きつけて強くもでき、巻き付けの回数と本数で強弱の調整ができる。
【００３１】
図１９は、本発明の実施例である図４、図５、図１１及び図１２等に示した弾性体の輪ゴム３の正面図で拡大図である。輪ゴム自体の断面形状は、円形や四角形など何でも良い。また、輪ゴムそのものは、本発明に使用する構成要素ではあるが、本発明の対象物ではない。一般に市販されている輪ゴムを２重３重に巻き付けて使用することもできる。また別に、弾性体として金属製のコイルバネで特別に作っても良く、伸縮が出来るものであれば材質の如何を問わない。また、輪ゴム３は、図１９の正面図に示した円形に拘ることが無く楕円形や他の形状でも良い。従って、輪ゴム３の平面図、底面図、及び、断面図は省略する。
更に、金属製の板バネによって上板１と下板２とを挟み込むバネと箸を支点ストッパーとストッパーに押し付ける２種類のバネを図１〜図３に示した一例の如く同様に製作して本発明の箸ホルダーに使用できることは言うまでもない。
要は、１つのバネが下板２の平板部１０に箸の上部を押し付け、また、別のバネが箸の上部を支点ストッパーとストッパーに押し付ける働きをする物であれば本発明の狙いと同じ働きをするのでバネの形状には、拘らないことは言うまでもない。
【００３２】
図２０は、本発明の第３実施例における、別態様の一実施例の箸ホルダーの平面拡大図である。上板１５に溝１７及び溝１８を各一対形成し、上板ストッパー１９と上板支点ストッパー２１を両端部の近傍に一体に形成し、下板１６に溝１７及び溝１８を各一対形成し、下板ストッパー２０と下板支点ストッパー２２を両端部の近傍において上板ストッパー１９と上板支点ストッパー２１の内側に位置し嵌り込む状態で一体に形成し、輪ゴム３が各溝に嵌められ、上板ストッパー１９のストッパー箸当り面８と下板ストッパー２０のストッパー箸当り面１３及び下板支点ストッパー２２のストッパー箸当り面１４が略直線上の平面を形成し、上板支点ストッパー２１の幅は重なり合う面の下板支点ストッパー２２の重なり合う面の幅と略同じ寸法で支点ストッパー箸当り面１４は逆方向の面を形成し、夫々の溝の深さは前記と同様に箸の上部が押し込める深さの溝に形成した箸ホルダーの平面図である。
【００３３】
図２１は、図２０の正面拡大図である。また、輪ゴム３の収縮力によって実際には、上板ストッパー１９及び上板支点ストッパー２１と下板１６の下板平板部１０の間に図示上は、隙間を書いたが実際には隙間が殆んど無い状態である。同様に下板ストッパー２０及び下板ストッパー２０と上板１５の上板平板部４の間の隙間も実際には隙間が殆んど無い状態である。上板１５と下板１６は、別部品であることを示した。また、実際には、箸ホルダーの長辺側の長さは３０〜５０ｍｍ程度に作るのが良いが、大きさを制限や規定するものではないことは言うまでもない。また、ストッパーと支点ストッパーの高さは割り箸が挟める程度の高さにするのが良い。また、輪ゴムを２箇所にすることにより箸の上部が上板平板部４と下板平板部１０の間に強く挟まれ箸を握った際に箸先がずれるのを防ぎ強める作用が高まる効果が期待できる。また、夫々の溝の間隔は可能な限り広い方が箸先のずれを防止できる効果が期待できる。
一対の溝の場合には、その分輪ゴムの使用本数を増やして強くし平板部の強度を高めるなどして同様に箸先がずれるのを防ぐ作用を強化させる必要がある。また、図２１の正面図の底面の形状は、図２０の平面図と略同じ形状であるので底面図を省略する。
【００３４】
図２２は、本発明の請求項５に対応する第４実施例の箸ホルダーの平面拡大図である。
上板２３に溝２７及び溝２８を各一対で両端部近傍に形成し、下板２４に一体に形成した支点ストッパー２５を若干の隙間を持って通す孔２６を形成した上板２３の上方から見た平面拡大図である。溝２７は、箸先が広がるように箸の上部を押え込むために溝２８より深く形成し、下板２４に一体に形成した支点ストッパー２５の箸当り面を箸先が広がるように傾斜角度を持たせたもので、輪ゴム２９は一般に市販の輪ゴムを２重に巻き、一方の輪ゴム３０は一般に市販の輪ゴムを３重に巻き付けた状態の一例を示すものである。
また、図２２に示した支点ストッパー２５は、２等辺の台形であるが、丸や菱形など支点の役目をするものであれば代えても良い。孔２６は、貫通した状態で形成するが、孔２６の代わりに上板の孔２６の部分を厚く盛り上げて支点トッパー２５の先端が入り込む凹みに変えても良いことは言うまでもない。凹みの深さは、比較的細い割り箸を使う際にも上板平板部４と下板平板部１０の間に箸が挟める程度の余裕を持った深さのものが良い。
【００３５】
図２３は、図２２の正面拡大図である。
下板２４に一体に形成した支点ストッパー２５と上板２３の平板部４を箸の太さより少し低い支持棒３１と支持棒３２を両端の中央近傍に一体に形成した状態を示す。これらの支持棒３１及び３２は、箸を装着し易くする働きをする。しかし、箸を事前に上板平板部４と下板平板部１０の間に支点ストッパー２５の両側に沿わせて挟み込み、輪ゴム２９と輪ゴム３０を後で嵌め込んで使用すれば支持棒３１と支持棒３２は、下板２４に形成しなくても良いことは言うまでもない。また、図２３の正面図の底面の形状は、図２２の平面図の孔２６と支点ストッパー２５が点線表示となり他は略同じ位置で略同じ形状であるので底面図を省略する。
【００３６】
図２４は、本発明の請求項４に対応する第５実施例の箸ホルダーに箸を装着した状態を示す平面図である。
箸ホルダーの上板３３に広幅の溝３５を一対に形成し、以下に記す図２５に示す下板３４にも広幅の溝３５を一対に形成し輪ゴム３で箸３６を使用状態に組み合わせた状態を示す平面図である。箸３６は、一般の箸であり、本発明の箸ホルダーの発明部分ではないので２点鎖線で表示した。
輪ゴム３の力で上板３３と下板３４の下板平板部１０の間に箸の上部が挟まれ下板３４に形成されたストッパー３７と支点ストッパー３８の箸当り面で一定の開き角度で箸が開いた状態を示す。上板３３にはストッパー３７と支点ストッパー３８を通す孔を形成し、そこにストッパー３７と支点ストッパー３８が貫通して嵌め込まれて使用された状態を示す。
図２５は、図２４の箸ホルダーと箸を装着した状態を示す正面図である。
輪ゴム３の力で上板３３と下板３４の下板平板部１０の間に箸の上部が挟まれストッパー３７と支点ストッパー３８の箸当り面で一定の平面内で箸３６が開いた状態を示し、箸３６を摘んだ時にも箸先は、合わさることを示す。
広幅の溝３５は、図面上では中間部に輪ゴム３を嵌めているが、握力の低下した人には、輪ゴム３の位置を箸先の方に寄せて使えるため箸ホルダーは握力の低下に合わせて調整できる効果がある。
図２６は、図２４における中心線Ａ−Ａの矢印方向の箸ホルダーの断面図である。
ストッパー３７と支点ストッパー３８の実際の使用時における状態を示している。
また、図２５の正面図の底面図は、図２４の平面図の孔４０と支点ストッパー３８、及び、ストッパー３７と孔３９が点線表示となり他は略同じ位置で略同じ形状であるので底面図を省略する。
又、上板と下板の平板部の間の隙間を箸が装着し易いように支持棒をどちらかの板に形成しても良いことは言うまでもない。
【００３７】
図２０と図２１、及び、図２２と図２３に例示した箸ホルダーのように２箇所に輪ゴム３、２９、３０がかけられる場合においては、上板を省略し使わなくても輪ゴム３、２９、３０を強くすることで箸３６の上部１５及び２３を下板平板部１０に引き付けて一定平面内に摺動させることになり、上板１５及び２３を省いても箸ホルダーを構成できるが、輪ゴム３、２９、３０をかける溝の位置は両端部近傍に近くした方がよく、本発明の意図する範囲内であることは言うまでもないが、箸先が握る力の掛けようでは揃わなくなる弱点がある。
【産業上の利用可能性】
【００３８】
箸だけでなく、物品を挟み付けてＡ地点からＢ地点に移動することのできる各種器具にも利用することができる。また、箸置きとしても利用できる。
【符号の説明】
【００３９】
１・・・・上板                          ２・・・・下板
３・・・・輪ゴム                        ４・・・・上板平板部
５・・・・溝                            ６・・・・上板ストッパー
７・・・・上板支点ストッパー            ８・・・・上板ストッパー箸当り面
９・・・・上板支点ストッパー箸当り面  １０・・・・下板平板部
１１・・・・下板ストッパー              １２・・・・下板支点ストッパー
１３・・・・下板ストッパー箸当り面      １４・・・・下板支点ストッパー箸当り面
１５・・・・上板                        １６・・・・下板
１７・・・・溝                          １８・・・・溝
１９・・・・上板ストッパー              ２０・・・・下板ストッパー
２１・・・・上板支点ストッパー          ２２・・・・下板支点ストッパー
２３・・・・上板                        ２４・・・・下板
２５・・・・下板支点ストッパー          ２６・・・・孔
２７・・・・溝                          ２８・・・・溝
２９・・・・輪ゴム                      ３０・・・・輪ゴム
３１・・・・支持棒                      ３２・・・・支持棒
３３・・・・上板                        ３４・・・・下板
３５・・・・溝                          ３６・・・・箸
３７・・・・下板ストッパー              ３８・・・・下板支点ストッパー
３９・・・・孔                          ４０・・・・孔
４１・・・・上板                        ４２・・・・下板
４３・・・・下板支点ストッパー          ４４・・・・下板平板部
４５・・・・溝                          ４６・・・・上板
４７・・・・下板                        ４８・・・・金属板バネ
４９・・・・支点ストッパー部            ５０・・・・C型バネ
５１・・・・上板                        ５２・・・・下板
５３・・・・上板平板部                  ５４・・・・溝
５５・・・・下板格納凹部                ５６・・・・支点ストッパー用凹部
５７・・・・下板はね出し用凹部          ５８・・・・支点ストッパー
５９・・・・輪ゴム                      ６０・・・・下板平板部
６１・・・・上板平板部                  ６２・・・・上板平板部
６３・・・・下板平板部
【図１】
0004660742.tif 000002
【図２】
0004660742.tif 000003
【図３】
0004660742.tif 000004
【図４】
0004660742.tif 000005
【図５】
0004660742.tif 000006
【図６】
0004660742.tif 000007
【図７】
0004660742.tif 000008
【図８】
0004660742.tif 000009
【図９】
0004660742.tif 000010
【図１０】
0004660742.tif 000011
【図１１】
0004660742.tif 000012
【図１２】
0004660742.tif 000013
【図１３】
0004660742.tif 000014
【図１４】
0004660742.tif 000015
【図１５】
0004660742.tif 000016
【図１６】
0004660742.tif 000017
【図１７】
0004660742.tif 000018
【図１８】
0004660742.tif 000019
【図１９】
0004660742.tif 000020
【図２０】
0004660742.tif 000021
【図２１】
0004660742.tif 000022
【図２２】
0004660742.tif 000023
【図２３】
0004660742.tif 000024
【図２４】
0004660742.tif 000025
【図２５】
0004660742.tif 000026
【図２６】
0004660742.tif 000027